(57)【要約】【課題】記憶手段のデータを消去するために専用の部品を付加する必要が無く、また装置自体を破壊することなく、簡単な方法でデータを消去できる点灯装置及びそれを備えた灯具並びに車両を提供する。【解決手段】マイコン１７は、出力電流検出回路１３及び出力電圧検出回路１４の検出結果を所定のタイミングで取り込み、発光ダイオードＬＥＤ１，ＬＥＤ２に流れる負荷電流及び発光ダイオードＬＥＤ１，ＬＥＤ２に印加される負荷電圧の検出結果をフラッシュメモリ１９に記憶させる。入力電圧検出回路１２の検出電圧が、直流電源Ｅ１の定格電圧範囲よりも高い第１基準電圧以上となる状態が所定時間以上継続する第１条件、及び、検出電圧が、定格電圧範囲よりも低い第２基準電圧以下となる状態が所定時間以上継続する第２条件のうち、少なくとも何れか一方の条件が成立すると、マイコン１７はフラッシュメモリ１９に記憶されたデータを消去する。【選択図】図１
2011249135.tif 000002
【特許請求の範囲】
【請求項１】
電源が入力される入力端子と、
この入力端子を介して前記電源が入力され、光源に対応した点灯電力を生成する電力供給手段と、
前記入力端子に入力される電圧値を検出する入力電圧検出手段と、
前記光源に流れる負荷電流、及び、前記光源に印加される負荷電圧のうち少なくとも何れか一方を前記光源の状態値として検出する光源状態検出手段と、
前記光源状態検出手段の検出結果を記憶する書き換え可能な記憶手段と、
前記入力電圧検出手段の検出電圧が、前記電源の定格電圧範囲よりも高い第１基準電圧以上となる状態が所定時間以上継続する第１条件、及び、前記検出電圧が、前記定格電圧範囲よりも低い第２基準電圧以下となる状態が所定時間以上継続する第２条件のうち、少なくとも何れか一方の条件が成立すると、前記記憶手段に記憶されたデータを消去する記憶消去手段とを備えたことを特徴とする点灯装置。
【請求項２】
前記第１基準電圧及び前記第２基準電圧として複数段階の電圧値が設定され、
前記記憶消去手段は、各段階の前記第１基準電圧に対応した前記第１条件、又は、各段階の第２基準電圧に対応した前記第２条件が所定の順番で成立すると、前記記憶手段に記憶されたデータを消去することを特徴とする請求項１記載の点灯装置。
【請求項３】
前記記憶消去手段は、前記第１基準電圧及び前記第２基準電圧の電圧値と、前記所定時間の時間幅との組み合わせパターンに応じて、前記記憶手段に記憶されたデータの消去範囲を変更することを特徴とする請求項１又は２の何れか１項に記載の点灯装置。
【請求項４】
前記電力供給手段、前記入力電圧検出手段、前記光源状態検出手段、前記記憶手段、及び前記記憶消去手段を構成する回路が形成された回路基板がケース内に収納されたことを特徴とする請求項１乃至３の何れか１項に記載の点灯装置。
【請求項５】
前記光源が高圧放電灯であることを特徴とする請求項１乃至４の何れか１項に記載の点灯装置。
【請求項６】
前記光源が蛍光灯であることを特徴とする請求項１乃至４の何れか１項に記載の点灯装置。
【請求項７】
前記光源が発光ダイオードであることを特徴とする請求項１乃至４の何れか１項に記載の点灯装置。
【請求項８】
請求項１乃至７の何れか１項に記載の点灯装置を備えたことを特徴とする灯具。
【請求項９】
請求項１乃至７の何れか１項に記載の点灯装置を車体に備えたことを特徴とする車両。
【発明の詳細な説明】
【技術分野】
【０００１】
本発明は、点灯装置及びそれを備えた灯具並びに車両に関するものである。
【背景技術】
【０００２】
従来、車両用のヘッドライトの光源としてハロゲンランプや高圧放電ランプが用いられていたが、近年の発光ダイオード（ＬＥＤ）の高出力化によって、ヘッドライトの光源にＬＥＤが用いられるようになってきた。なお、ＬＥＤを光源とするヘッドライトでは、一般に、複数個のＬＥＤを使用することで、必要な光量を確保している。
【０００３】
このような光源を点灯させる点灯装置として、点灯回路の故障を検出し、故障原因をＥＥＰＲＯＭに記憶させる点灯装置が提案されていた（例えば特許文献１参照）。
【先行技術文献】
【特許文献】
【０００４】
【特許文献１】特開２０００−８２５９２号公報
【発明の概要】
【発明が解決しようとする課題】
【０００５】
上記特許文献１に開示された点灯装置では、点灯回路の故障原因をＥＥＰＲＯＭに記憶させているが、点灯回路の故障内容の代わりに、光源の状態を記録するものも考えられる。このような点灯装置において、光源の状態を所定のタイミングでＥＥＰＲＯＭに記録させていくと、いつかはＥＥＰＲＯＭの最大容量値に達し、それ以上のデータの書き込みが行えなくなってしまう。
【０００６】
またフェールセーフを考慮し、ＥＥＰＲＯＭの最大容量値に達した場合は、報知信号の出力を異常状態に固定することも考えられるが、この場合、光源が正常状態に復旧したり、光源が新しいものに交換された場合でも、報知信号は異常状態のままで固定されているため、点灯装置としての使用が行えなくなるという問題があった。
【０００７】
また製造過程において、記憶素子に少量のデータを書き込み、記憶機能の検査を行う場合もあるが、検査のために少量のデータが書き込まれるため、書き込み可能な記憶容量が減少し、記憶素子の記憶容量を最大限活用できないという問題もあった。
【０００８】
そこで、このような点灯装置においては、ＥＥＰＲＯＭに記憶させたデータを使用途中で消去する必要があった。
【０００９】
記憶素子のデータを消去する方法には、例えばＥＥＰＲＯＭからなる記憶素子に消去命令を入力し、記憶素子の内部処理でデータを消去する方法や、ＥＲＡＳＥ端子を備えるものではＥＲＡＳＥ端子に高電圧を印加することで、データを消去する方法がある。何れの方法でも、記憶素子に直接接続し、記憶素子に対してデータを消去させるための信号（消去命令や所定電圧値の電圧信号）を入力する必要があるが、ヘッドライト用など防水性能が要求される点灯装置では、点灯装置のケースがシールされていたり、ケース内に収納された点灯回路の部品が充填剤で封止されていたりするため、記憶素子に直接接続することができなかった。このような点灯装置で記憶素子に直接接続するためには、点灯装置を破壊（ケースのシール材を破壊したり、充填剤を除去したり）する必要があり、そのような作業を行うと、防水性能が損なわれたり、復旧に手間がかかったりという問題が発生する。
【００１０】
また、一般的な照明器具の分野でも、光源として蛍光灯や高圧放電灯やＬＥＤを用いた点灯装置において、光源の状態を記憶素子に記録することが考えられる。また建物内で使用される照明器具でも、自動車用の点灯装置と同様に、点灯回路をケースに収納し、充填剤でシールする場合がある。このような点灯装置においても、記憶素子のデータを消去するために、記憶素子に直接接続する場合には、点灯装置を破壊（ケースのシール材の破壊、充填剤の除去）する必要がある。また、点灯回路の回路基板がケース内に収納されておらず、回路部品が充填剤で封止されていない場合でも、器具本体への回路基板の取付方向や記憶素子の配置によっては、記憶素子に直接接続できない場合がある。
【００１１】
データを消去するために記憶素子に直接接続できない場合、記憶素子に外部からアクセスするための専用の接続端子を点灯回路に設ける必要があり、点灯装置のコストアップを招くという問題があった。
【００１２】
本発明は上記課題に鑑みて為されたものであり、その目的とするところは、記憶手段のデータを消去するために専用の部品を付加する必要が無く、また装置自体を破壊することなく、簡単な方法でデータの消去が行える点灯装置及びそれを備えた灯具並びに車両を提供することにある。
【課題を解決するための手段】
【００１３】
上記課題を解決するために、本発明の点灯装置は、電源が入力される入力端子と、この入力端子を介して電源が入力され、光源に対応した点灯電力を生成する電力供給手段と、入力端子に入力される電圧値を検出する入力電圧検出手段と、光源に流れる負荷電流、及び、光源に印加される負荷電圧のうち少なくとも何れか一方を光源の状態値として検出する光源状態検出手段と、光源状態検出手段の検出結果を記憶する書き換え可能な記憶手段と、入力電圧検出手段の検出電圧が、電源の定格電圧範囲よりも高い第１基準電圧以上となる状態が所定時間以上継続する第１条件、及び、検出電圧が、定格電圧範囲よりも低い第２基準電圧以下となる状態が所定時間以上継続する第２条件のうち、少なくとも何れか一方の条件が成立すると、記憶手段に記憶されたデータを消去する記憶消去手段とを備えたことを特徴とする。
【００１４】
この点灯装置において、第１基準電圧及び第２基準電圧として複数段階の電圧値が設定され、記憶消去手段は、各段階の第１基準電圧に対応した第１条件、又は、各段階の第２基準電圧に対応した第２条件が所定の順番で成立すると、記憶手段に記憶されたデータを消去することも好ましい。
【００１５】
この点灯装置において、記憶消去手段は、第１基準電圧及び第２基準電圧の電圧値と、所定時間の時間幅との組み合わせパターンに応じて、記憶手段に記憶されたデータの消去範囲を変更することも好ましい。
【００１６】
この点灯装置において、電力供給手段、入力電圧検出手段、光源状態検出手段、記憶手段、及び記憶消去手段を構成する回路が形成された回路基板がケース内に収納されることも好ましい。
【００１７】
この点灯装置において、光源が高圧放電灯であることも好ましい。
【００１８】
この点灯装置において、光源が蛍光灯であることも好ましい。
【００１９】
この点灯装置において、光源が発光ダイオードであることも好ましい。
【００２０】
本発明の灯具は、上述した何れかの点灯装置を備えたことを特徴とする。
【００２１】
本発明の車両は、上述した何れかの点灯装置を車体に備えたことを特徴とする。
【発明の効果】
【００２２】
本発明の点灯装置によれば、記憶手段のデータを消去するために、専用の部品を別途付加する必要が無く、コストアップを招くことがない。また、第１条件及び第２条件の何れかに合致した電圧を入力端子に印加することで、記憶手段のデータを消去させることができるので、装置自体を破壊することなく、比較的簡単な方法でデータの消去が行えるという効果がある。
【００２３】
本発明の灯具によれば、点灯装置に設けられた記憶手段のデータを消去するために、専用の部品を別途付加する必要が無く、コストアップを招くことがない。また、第１条件及び第２条件の何れかに合致した電圧を入力端子に印加することで、記憶手段のデータを消去させることができるので、装置自体を破壊することなく、比較的簡単な方法でデータの消去が行えるという効果がある。
【００２４】
本発明の車両によれば、点灯装置に設けられた記憶手段のデータを消去するために、専用の部品を別途付加する必要が無く、コストアップを招くことがない。また、第１条件及び第２条件の何れかに合致した電圧を入力端子に印加することで、記憶手段のデータを消去させることができるので、装置自体を破壊することなく、比較的簡単な方法でデータの消去が行えるという効果がある。
【図面の簡単な説明】
【００２５】
【図１】実施形態１の点灯装置の回路図である。
【図２】（ａ）〜（ｃ）は同上のデータ消去動作の説明図である。
【図３】（ａ）（ｂ）は同上のデータ消去動作のフローチャートである。
【図４】（ａ）（ｂ）は同上に用いられるフラッシュメモリの記憶領域を示す説明図である。
【図５】（ａ）（ｂ）は実施形態２の点灯装置の回路図である。
【図６】実施形態３の点灯装置の回路図である。
【図７】同上の整流回路の出力電圧を示す波形図である。
【図８】（ａ）（ｂ）は実施形態４の点灯装置によるデータ消去動作の説明図である。
【図９】（ａ）〜（ｃ）は実施形態５の点灯装置によるデータ消去動作の説明図である。
【図１０】（ａ）〜（ｃ）は実施形態６の点灯装置によるデータ消去動作の説明図である。
【図１１】（ａ）（ｂ）は同上に用いられるフラッシュメモリの記憶領域を示す説明図である。
【図１２】実施形態７の点灯装置によるデータ消去動作の説明図である。
【図１３】同上を用いた灯具及び車両の説明図である。
【発明を実施するための形態】
【００２６】
以下に本発明の実施の形態を図面に基づいて説明する。
【００２７】
（実施形態１）
本発明の技術思想を、光源として発光ダイオードを用いる点灯装置に適用した実施形態について、図１〜図４を参照して説明する。
【００２８】
図１は光源として発光ダイオードを用いた点灯装置１の回路図である。点灯装置１の入力端子Ｔａ，Ｔｂ間にはスイッチＳＷ１を介して直流電源Ｅ１が接続され、出力端子Ｔｃ，Ｔｄ間には光源である発光ダイオードＬＥＤ１，ＬＥＤ２の直列回路が接続されている。尚、発光ダイオードの個数は２個に限定されるものではなく、点灯装置１の仕様に応じて適宜変更が可能である。
【００２９】
この点灯装置１は、ＤＣ−ＤＣコンバータ１１（電力供給手段）と、入力電圧検出回路１２（入力電圧検出手段）と、出力電流検出回路１３と、出力電圧検出回路１４と、制御回路１５と、制御電源回路１６とをケース２０内に収納して構成される。
【００３０】
ＤＣ−ＤＣコンバータ１１は、入力端子Ｔａ，Ｔｂ間に接続されたトランスＴ１の一次巻線とスイッチング素子Ｑ１と抵抗Ｒ１を直列に接続するとともに、トランスＴ１の二次巻線の両端間にダイオードＤ１と平滑コンデンサＣ１とを接続して構成される。そして、平滑コンデンサＣ１は、出力電流検出回路１３を構成する抵抗Ｒ４を介して出力端子Ｔｃ，Ｔｄ間に接続されている。
【００３１】
入力電圧検出回路１２は、入力端子Ｔａ，Ｔｂ間に接続された抵抗Ｒ２，Ｒ３の直列回路からなり、抵抗Ｒ２，Ｒ３で分圧された電圧が入力電圧の検出値として制御回路１５に出力される。
【００３２】
出力電圧検出回路１４は、出力端子Ｔｃ，Ｔｄ間に接続された抵抗Ｒ５，Ｒ６の直列回路からなり、抵抗Ｒ５，Ｒ６で分圧された電圧が制御回路１５に出力される。ここにおいて、出力電流検出回路１３と出力電圧検出回路１４とで、それぞれ負荷電流、負荷電圧を光源（発光ダイオードＬＥＤ１，ＬＥＤ２）の状態値として検出する光源状態検出手段が構成される。
【００３３】
制御回路１５は、マイコン１７とＰＷＭ出力回路１８とフラッシュメモリ１９とを備える。
【００３４】
マイコン１７は、例えば株式会社ルネサスエレクトロニクス製のＲ８Ｃ／ＴｉｎｙシリーズのＲ８Ｃ／２６，２７グループやＲ８Ｃ／２Ｅ，２Ｆなどが用いられる。このマイコン１７は、出力電流及び出力電圧の検出値をもとに、図示しないメモリに登録されたデータテーブルを参照して電力制御量を演算し、演算結果に応じたデューティ比のＰＷＭ信号を出力する。またマイコン１７は負荷状態などを定期的に検出しており、その検出結果をフラッシュメモリ１９に記憶させる。またマイコン１７には、入力電圧検出回路１２から入力電圧の大きさに比例した検出値が入力されており、この検出値をＡ／Ｄ変換して取り込み、抵抗Ｒ２，Ｒ３の分圧比をもとに入力電圧を演算により求めている。
【００３５】
ＰＷＭ出力回路１８は、マイコン１７からのＰＷＭ信号を直流化した電力指令値（電流指令値）と、抵抗Ｒ１を用いて検出されたトランスＴ１の一次電流とを比較し、スイッチング素子Ｑ１の駆動信号であるＰＷＭ信号を発生する。
【００３６】
フラッシュメモリ１９は、マイコン１７から書き込まれた負荷電流や負荷電圧などのデータを光源の状態値として記憶する。本実施形態では光源の状態値を記憶する記憶手段として、マイコン１７に内蔵されたフラッシュメモリ１９を用いているが、マイコン１７とは別個に設けられたメモリで構成されても良い。また、電気的に書き換え可能な記憶手段としてフラッシュメモリ１９を用いているが、ＥＥＰＲＯＭなどの記憶素子を用いてもよい。
【００３７】
制御電源回路１６は、トランスＴ１の一次巻線とスイッチング素子Ｑ１との接続点の電圧を安定化して、制御回路１５に動作電圧を供給する。この制御電源回路１６は、スイッチＳＷ１のオン時のみ制御回路１５へ給電しているが、直流電源Ｅ１に別のスイッチを介して制御電源回路１６を接続し、このスイッチをオンにすることで、スイッチＳＷ１のオフ時にも制御回路１５へ給電することができる。
【００３８】
ケース２０は例えば金属製であり、図１の回路を形成した回路基板（図示せず）を内部に収納する。尚、ケース２０は金属製に限定されるものではなく、樹脂製でもよいし、樹脂と金属の両方で形成されていてもよい。
【００３９】
ここで、制御回路１５による出力電力制御（出力電流制御）は以下のようにして行われる。
【００４０】
マイコン１７には、出力電流検出回路１３から出力電流の大きさに比例した電圧値が入力されるとともに、出力電圧検出回路１４から出力電圧の大きさに比例した電圧値が入力される。マイコン１７は、両検出回路１３，１４の検出値をもとに、データテーブルを参照して、出力電力制御量を演算しており、この演算結果に応じたデューティ比のＰＷＭ信号を出力する。尚、図示は省略しているが、マイコン１７から出力されたＰＷＭ信号は積分回路やＤ／Ａコンバータによって直流電圧に変換され、電力指令値信号（電流指令値信号）としてＰＷＭ出力回路１８に入力される。また、スイッチング素子Ｑ１のオン／オフに応じてトランスＴ１の一次側に流れる電流（一次電流）を抵抗Ｒ１で検出しており、抵抗Ｒ１の両端電圧が一次電流信号としてＰＷＭ出力回路１８に入力される。
【００４１】
ＰＷＭ出力回路１８では、マイコン１７からの電力指令値信号と一次電流信号とを比較することによって、スイッチング素子Ｑ１の駆動信号であるＰＷＭ信号を発生し、このＰＷＭ信号によりスイッチング素子Ｑ１をオン／オフさせる。
【００４２】
スイッチング素子Ｑ１がＰＷＭ信号によってオンすると、トランスＴ１の一次巻線に電流が流れる。この時、ダイオードＤ１はオフになるので、トランスＴ１にエネルギーが蓄積される。その後、スイッチング素子Ｑ１がＰＷＭ信号によってオフになると、トランスＴ１からダイオードＤ１を介して平滑コンデンサＣ１に電流が流れる。ここで、マイコン１７は、出力電圧及び出力電流の検出結果に応じて、スイッチング素子Ｑ１のオン／オフのデューティ比を変化させており、光源に供給する出力電力（出力電流）を制御する。
【００４３】
制御回路１５が備えるフラッシュメモリ１９には、負荷である発光ダイオードＬＥＤ１，ＬＥＤ２の状態を示すデータが記憶される。ここで、フラッシュメモリ１９に記憶されるデータとしては、発光ダイオードＬＥＤ１，ＬＥＤ２の負荷状態を検出した値そのものや、検出値をもとに負荷状態を判定した判定値、並びに、点灯履歴（累積点灯時間、点滅回数など）や、データ数などがある。尚、フラッシュメモリ１９に記憶されるデータの仕様は、使用用途や製品仕様などに応じて適宜設定すればよい。
【００４４】
フラッシュメモリ１９に記憶するデータが検出値そのものの場合、例えば出力電流値と出力電圧値をフラッシュメモリ１９に記憶させる。尚、出力電流値及び出力電圧値のうちの少なくとも何れか一つをフラッシュメモリ１９に記憶させてもよい。
【００４５】
フラッシュメモリ１９に記憶するデータが、検出値をもとに負荷の状態が正常か異常かを判断したデータの場合、例えば正常又は異常の２値のみを記憶させる。尚、正常又は異常の２値のみではなく、正常、異常０、異常１、…、異常ｎのように、正常か否かに加えて、異常の場合には異常の種類を示す情報を記憶させてもよい。
【００４６】
ここで、光源が発光ダイオードの場合は、全ての発光ダイオードが短絡した短絡異常（異常０）、一部の発光ダイオードが短絡した一部短絡異常（異常１）、少なくとも一部の発光ダイオードがＯＰＥＮ状態となっているＯＰＥＮ異常（異常２）の３種類の異常を判定することが考えられる。光源が高圧放電灯の場合は、全ての高圧放電灯が短絡状態である短絡異常（異常０）、ランプ電圧が定格値より低い低ランプ電圧異常（異常１）、ランプ電圧が定格値よりも高い高ランプ電圧異常（異常２）の３種類の異常を判定すればよい。光源が蛍光灯の場合、片側フィラメントがエミッタレスとなる異常（異常０）、両側フィラメントがエミッタレスとなる異常（異常１）、ＯＰＥＮ状態（フィラメント切れ）となる異常（異常２）の３種類の異常を判定すればよい。
【００４７】
またフラッシュメモリ１９に記憶するデータが累積点灯時間の場合、例えば検出値から判定した結果が正常時の累積点灯時間と、検出値から判定した結果が異常時の累積点灯時間と、総累積点灯時間（正常時の累積点灯時間と異常時の累積点灯時間の和）を記憶させる。
【００４８】
またフラッシュメモリ１９に記憶するデータが点滅回数の場合、光源が正常時の点灯回数と、光源が異常時の点灯回数と、総点灯回数（正常時の点灯回数と異常時の点灯回数の合計）とを記憶させる。
【００４９】
フラッシュメモリ１９に記憶するデータがデータ数の場合、上述した検出値、正常／異常の判定値、累積点灯時間、点灯回数の各々のデータ数と、全てのデータ数とを記憶させる。
【００５０】
またマイコン１７が、フラッシュメモリ１９に記憶させるデータの仕様を書き込むタイミングや条件は以下の通りである。データの仕様を書き込むタイミングとしては、電源オフ時のみ書き込む場合のほか、電源オフ時までに少なくとも１回書き込む場合があり、この場合は例えば１秒間隔で定期的にデータを書き込むようにすればよい。また、データの書き込み条件としては、書き込みタイミング毎に必ずデータを書き込む場合と、書き込みタイミングで前回のデータと異なっている場合のみ（例えば前回正常で今回は異常）、データを書き込む場合とがある。
【００５１】
尚、フラッシュメモリ１９に記憶されるデータの仕様や書き込みタイミング及び書き込み条件は上記の形態に限定されるものではなく、負荷の種類は使用環境などに応じて適宜変更が可能である。
【００５２】
このようにフラッシュメモリ１９には、負荷電流及び負荷電圧のうち少なくとも何れか一方を含む光源の状態値が逐次書き込まれるのであるが、ユーザは以下のような方法で、フラッシュメモリ１９に記憶されたデータを消去することができる。
【００５３】
入力端子Ｔａ，Ｔｂにマイコン１７を動作可能な電圧が入力されると、制御電源回路１６から制御回路１５に動作電源が供給されて、マイコン１７が動作を開始する。マイコン１７は、制御電源回路１６から電源供給を受けて動作を開始すると、所定のサンプリング周期で入力電圧検出回路１２から検出結果を取り込み、入力電圧の電圧値を演算により求めている。図２（ａ）〜（ｃ）は電源投入後の入力電圧の検出結果を示しており、この図を参照してデータの消去動作を説明する。ここで、図２において電圧Ｖ０以上且つ電圧Ｖ１以下の範囲Ａは直流電源Ｅ１の定格電圧範囲を示している。
【００５４】
入力電圧の検出結果が定格電圧範囲内であれば、マイコン１７は通常の点灯動作を開始する。一方、入力電圧の検出結果が、定格電圧範囲Ａよりも高い第１基準電圧Vth1以上となる状態が所定時間ｔ１以上継続する第１条件、及び、入力電圧の検出結果が、定格電圧範囲Ａよりも低い第２基準電圧Vth2以下となる状態が所定時間ｔ２以上継続する第２条件のうち、少なくとも何れか一方の条件が成立すると、マイコン１７はフラッシュメモリ１９に記憶されたデータを消去する。
【００５５】
したがって、ユーザがフラッシュメモリ１９のデータを消去したい場合は、入力端子Ｔａ，Ｔｂ間に第１基準電圧Vth1以上の電圧、又は第２基準電圧Vth2以下の電圧を所定時間ｔ１，ｔ２以上継続して印加すればよい。
【００５６】
図２（ａ）はユーザがデータ消去のために第１基準電圧Vth1以上の電圧を印加した場合を示し、マイコン１７は、第１基準電圧Vth1以上の電圧が所定時間ｔ１以上継続して印加されたことを検知すると、フラッシュメモリ１９に記憶されたデータを消去する。
【００５７】
この動作を図３（ａ）のフローチャートに基づいて説明する。入力端子に電圧が入力されると、マイコン１７は、時間カウント値ＣＴをゼロにクリアした後（Ｓ１）、入力電圧Ｖｉｎが定格電圧範囲内（Ｖ０≦Ｖｉｎ≦Vth1）であり、且つ、時間カウント値ＣＴが所定の継続時間ｔ０以上であるか否かの判断を行う（Ｓ２）。Ｓ２の判断がＹｅｓの場合、つまり定格電圧範囲内の入力電圧が所定時間ｔ０以上継続して入力されていれば、マイコン１７は通常の点灯動作を行う（Ｓ７）。Ｓ２の判断がＮｏの場合、マイコン１７は、入力電圧Ｖｉｎが第１基準電圧Vth1以上であるか否かの判断を行う（Ｓ３）。Ｓ３の判断がＮｏであれば、マイコン１７はＳ１に戻って、時間カウント値ＣＴをクリアした後、上記の動作を再度行う。Ｓ３の判断がＹｅｓの場合、マイコン１７は、時間カウント値ＣＴのカウント動作（インクリメント）を行い（Ｓ４）、時間カウント値ＣＴが所定の継続時間ｔ１以上か否かの判断を行う（Ｓ５）。Ｓ５の判断がＹｅｓであれば、第１基準電圧Vth1以上の入力電圧が所定の継続時間ｔ１以上継続して入力されるという第１条件が成立したので、マイコン１７はフラッシュメモリ１９のデータを消去する（Ｓ６）。またＳ５の判断がＮｏであれば、マイコン１７はＳ２に戻って、上記の処理を再び実行する。
【００５８】
また図２（ｂ）はユーザがデータ消去のために第２基準電圧Ｖth2以下の電圧を印加した場合を示し、マイコン１７は、第２基準電圧Vth2以下の電圧が所定時間ｔ２以上継続して入力されたことを検知すると、フラッシュメモリ１９に記憶されたデータを消去する。この場合の動作は、図３（ａ）のフローチャートにおいてＳ３の判断条件を「Ｖｉｎ≦Ｖth2」と変更し、Ｓ５の判断条件を「ＣＴ≧ｔ２」と変更したフローチャートとなる。
【００５９】
ところで、図２（ａ）（ｂ）の例では第１条件又は第２条件の何れかが成立すると、マイコン１７はフラッシュメモリ１９のデータを消去しているが、第１条件と第２条件の両方が所定の順番で成立するとデータを消去するようにしてもよい。
【００６０】
図２（ｃ）は、ユーザがデータを消去するために、第２基準電圧Ｖth2以下の電圧を所定時間ｔ２以上継続して印加した後、第１基準電圧Ｖth1以上の電圧を所定時間ｔ１以上継続して印加した場合を示している。マイコン１７は、第２基準電圧Vth2以下の電圧が所定時間ｔ２以上継続して印加された後、第１基準電圧Vth1以上の電圧が所定時間ｔ１以上継続して印加されたことを検知すると、第２条件と第１条件が順番に成立したと判断して、データの消去を行う。この場合のマイコン１７の動作を図３（ｂ）のフローチャートに基づいて説明する。入力端子に電圧が入力されると、マイコン１７は、時間カウント値ＣＴをゼロにクリアした後（Ｓ１１）、入力電圧Ｖｉｎが定格電圧範囲内（Ｖ０≦Ｖｉｎ≦Vth1）であり、且つ、時間カウント値ＣＴが所定の継続時間ｔ０以上であるか否かの判断を行う（Ｓ１２）。Ｓ１２の判断がＹｅｓの場合、つまり定格電圧範囲内の入力電圧が所定時間ｔ０以上継続して入力されていれば、マイコン１７は通常の点灯動作を行う（Ｓ２２）。Ｓ１２の判断がＮｏの場合、マイコン１７は、入力電圧Ｖｉｎが第２基準電圧Vth2以下であるか否かの判断を行う（Ｓ１３）。Ｓ１３の判断がＮｏであれば、マイコン１７はＳ１１に戻って、時間カウント値ＣＴをクリアした後、上記の動作を再度行う。Ｓ１３の判断がＹｅｓの場合、マイコン１７は、時間カウント値ＣＴのカウント動作（インクリメント）を行い（Ｓ１４）、時間カウント値ＣＴが所定の継続時間ｔ２以上か否かの判断を行う（Ｓ１５）。Ｓ１５の判断がＮｏであれば、マイコン１７は、Ｓ１２に戻って上述の動作を再度行う。Ｓ１５の判断がＹｅｓであれば、マイコン１７は、第２条件が成立したと判断し、時間カウント値ＣＴをゼロにクリアし（Ｓ１６）、続けて第１条件の判定処理を行う。
【００６１】
マイコン１７は、先ず入力電圧Ｖｉｎが定格電圧範囲内（Ｖ０≦Ｖｉｎ≦Vth1）であり、且つ、時間カウント値ＣＴが所定の継続時間ｔ０以上であるか否かの判断を行う（Ｓ１７）。Ｓ１７の判断がＹｅｓの場合、マイコン１７は通常の点灯動作を行う（Ｓ２２）。Ｓ１７の判断がＮｏの場合、マイコン１７は、入力電圧Ｖｉｎが第１基準電圧Vth1以上であるか否かの判断を行う（Ｓ１８）。Ｓ１８の判断がＮｏであれば、マイコン１７はＳ１６に戻って、時間カウント値ＣＴをゼロにクリアした後、上記の動作を再度行う。Ｓ１８の判断がＹｅｓの場合、マイコン１７は、時間カウント値ＣＴのカウント動作（インクリメント）を行い（Ｓ１９）、時間カウント値ＣＴが所定の継続時間ｔ１以上か否かの判断を行う（Ｓ２０）。Ｓ２０の判断がＮｏであれば、マイコン１７は、Ｓ１７に戻って上述の動作を再度行う。Ｓ２０の判断がＹｅｓであれば、マイコン１７は、第１条件が成立したと判断し、第２条件と第１条件が続けて成立したことから、フラッシュメモリ１９のデータを消去する（Ｓ２１）。尚、図２（ｃ）に示す例では、マイコン１７は、第２条件が成立した後で第１条件が成立したと判定すると、フラッシュメモリ１９のデータを消去しているが、第１条件が成立した後で第２条件が成立したと判定すると、データの消去を行うようにしてもよい。
【００６２】
以上説明したように、マイコン１７は、光源に流れる負荷電流（出力電流）、及び、光源に印加される負荷電圧（出力電圧）のうち少なくとも何れか一方の検出値を含む光源の状態値を記憶手段たるフラッシュメモリ１９に記憶させる。そして、記憶消去手段たるマイコン１７は、入力端子Ｔａ，Ｔｂに電圧が入力された際に、上述の第１条件及び第２条件のうち、少なくとも何れか一方の条件が成立すると、フラッシュメモリ１９に記憶されたデータを消去している。
【００６３】
これにより、第１条件又は第２条件を満たすように電源の定格電圧範囲とは異なる電圧を所定時間継続して入力端子Ｔａ，Ｔｂに入力すれば、記憶消去手段たるマイコン１７によって、フラッシュメモリ１９のデータが消去されることになる。したがって、フラッシュメモリ１９のデータを消去するために、フラッシュメモリ１９に直接アクセスするための外部接続端子やデータ消去のためのスイッチなど、専用の部品を別途付加する必要が無く、コストアップを招くことがない。また点灯装置１がケース２０内に収納されて防水構造をもたせている場合や回路部品（フラッシュメモリ１９を含む）が封止されている場合でも、ケース２０を分解したり封止樹脂を除去する必要が無いから、防水性能が損なわれたり、復旧に手間がかかることがない。また入力端子Ｔａ，Ｔｂ間に、第１条件又は第２条件に合致した電圧を印加するだけで、フラッシュメモリ１９のデータを消去させることができるので、装置自体を破壊することなく、比較的簡単な方法でフラッシュメモリ１９のデータを消去することができる。
【００６４】
尚、上述の実施形態で入力電圧のサンプリング周期や第１条件の第１基準電圧th1及びその継続時間ｔ１、第２条件の第２基準電圧Ｖth2及びその継続時間ｔ２は、点灯装置１の製品仕様や使用用途などに応じて適宜設定すればよい。またマイコン１７は、第１条件又は第２条件の成立時にフラッシュメモリ１９に記憶されたデータを全て消去しても良いが、一部のデータのみを消去するようにしてもよい。例えば図４（ａ）（ｂ）に示すようにフラッシュメモリ１９の記憶領域が２種類のブロックＡ，Ｂにブロック化され、各ブロックＡ，Ｂに異なる種類のデータが記憶されているとする。ここで、マイコン１７は、第１条件が成立した場合にはブロックＡ，Ｂに書き込まれた全てのデータを消去し（図４（ａ）参照）、第２条件が成立した場合はブロックＡに書き込まれたデータのみを消去する（図４（ｂ）参照）。このように、成立した条件に応じてデータを消去するブロックＡ，Ｂを異ならせているので、入力端子Ｔａ，Ｔｂに印加する電圧を変化させることで、所望の領域にあるデータのみを消去させることができる。尚、成立した条件に応じて消去されるデータの記憶領域は上記の形態に限定されるものではなく、製品仕様や使用用途などに応じて適宜変更が可能である。
【００６５】
また、この点灯装置１では金属製、樹脂製、或いは樹脂及び金属製のケース２０内に、図１の回路を形成した回路基板が収納されている。
【００６６】
これにより点灯装置１の防水性能や防塵性能を向上させることができ、また防水性能や防塵性能を損なうことなく、フラッシュメモリ１９に記憶されたデータの消去が可能になる。
【００６７】
また点灯装置１は光源として発光ダイオードを用いており、上述の特徴を有した発光ダイオードの点灯装置を実現できる。
【００６８】
（実施形態２）
本発明の実施形態２を図５（ａ）（ｂ）に基づいて説明する。実施形態１では、光源として発光ダイオード（ＬＥＤ）を用いているが、本実施形態では光源としてメタルハライドランプのような高圧放電灯ＬＰ１を用いている。
【００６９】
図５（ａ）は点灯装置１の回路図であり、実施形態１と共通する構成要素には同一の符号を付して、その説明は省略する。
【００７０】
この点灯装置１の回路構成は、図１の回路に極性反転回路２１を付加した構成となっている。高圧放電灯ＬＰ１が交流駆動の場合、出力電流の流れる方向を反転させるための回路が必要になり、そのためＤＣ−ＤＣコンバータ１１の後段に極性反転回路２１を設けている。また、この点灯装置１では、始動時に高圧放電灯ＬＰ１に高電圧を印加して絶縁破壊を起こさせるためのイグナイタ回路２２を備えている。また、この点灯装置１では、制御電源回路１６がスイッチＳＷ２を介して直流電源Ｅ１に接続されており、スイッチＳＷ１がオフの場合でも、スイッチＳＷ２をオンにすることで制御電源回路１６からマイコン１７に電源を供給させることができる。尚、ＤＣ−ＤＣコンバータ１１による出力電力制御は図１と同様であるので、その説明は省略する。
【００７１】
また図５（ｂ）は、高圧放電灯ＬＰ１を光源とする点灯装置１の別構成を示し、本回路では電源が交流電源ＡＣとなっている。尚、図１及び図５（ａ）の回路と共通する構成要素には同一の符号を付して、その説明は省略する。
【００７２】
この点灯装置１は、整流回路２３、昇圧チョッパ回路２４、平滑コンデンサＣ２、降圧チョッパ回路２５、極性反転回路２１、イグナイタ回路２２、入力電圧検出回路１２、出力電流検出回路１３、出力電圧検出回路１４、及び制御回路１５を備えている。また、図５（ｂ）の回路図では図示を省略しているが、図１及び図５（ａ）の回路と同様、マイコン１７からの電力指令値をＰＷＭ信号に変換するＰＷＭ出力回路１８や制御電源回路１６を備えている。
【００７３】
この点灯装置１では、整流回路２３が交流電源ＡＣの交流電圧を整流し、昇圧チョッパ回路２４により昇圧した後、降圧チョッパ回路２５で出力電力制御を行っている。マイコン１７は、出力電圧及び出力電流の検出値をもとに、データテーブルを参照して、出力電力制御量を演算しており、この演算結果に応じて降圧チョッパ回路２５の動作を制御して、出力電力制御を行う。また本回路の電源は交流電源ＡＣであるので、入力電圧検出回路１２は、昇圧チョッパ回路２４で昇圧され、平滑コンデンサＣ２で平滑された直流電圧を検出しており、この直流電圧を抵抗Ｒ２，Ｒ３で分圧した電圧をマイコン１７に出力する。マイコン１７では、入力電圧検出回路１２から入力された分圧電圧をもとに、入力電圧を演算により求めている。
【００７４】
この点灯装置１においても、実施形態１と同様、マイコン１７は、光源に流れる負荷電流（出力電流）、及び、光源に印加される負荷電圧（出力電圧）のうち少なくとも何れか一方の検出値を含む光源の状態値を記憶手段たるフラッシュメモリ１９に記憶させる。尚、光源が高圧放電灯ＬＰ１の場合、高圧放電灯ＬＰ１が短絡状態である短絡異常（異常０）、ランプ電圧が定格値より低い低ランプ電圧異常（異常１）、ランプ電圧が定格値よりも高い高ランプ電圧異常（異常２）の３種類の異常を判定し、この判定結果を状態値としてフラッシュメモリ１９に記憶させてもよい。
【００７５】
またメモリの空き容量が少なくなると、ユーザは、実施形態１と同様、入力端子Ｔａ，Ｔｂ間に第１基準電圧Vth1以上の電圧、又は第２基準電圧Vth2以下の電圧を所定時間以上継続して印加させることで、フラッシュメモリ１９に書き込まれたデータを消去する。
【００７６】
入力端子Ｔａ，Ｔｂにマイコン１７を動作可能な電圧が入力されると、制御電源回路１６から制御回路１５に動作電源が供給されて、マイコン１７が動作を開始する。マイコン１７は、制御電源回路１６から電源供給を受けて動作を開始すると、所定のサンプリング周期で入力電圧検出回路１２から検出結果を取り込み、入力電圧の電圧値を演算により求めている。そして、記憶消去手段たるマイコン１７は、入力電圧の検出結果をもとに、実施形態１で説明した第１条件及び第２条件のうち、少なくとも何れか一方の条件が成立したと判断すると、フラッシュメモリ１９に記憶されたデータを消去する。
【００７７】
これにより、第１条件又は第２条件を満たすように電源の定格電圧範囲とは異なる電圧を所定時間継続して印加すれば、記憶消去手段たるマイコン１７によって、フラッシュメモリ１９のデータが消去されることになる。したがって、フラッシュメモリ１９のデータを消去するために、フラッシュメモリ１９に直接アクセスするための外部接続端子やデータ消去のためのスイッチなど、専用の部品を別途付加する必要が無く、コストアップを招くことがない。また点灯装置１がケース２０内に収納されて防水構造をもたせている場合や回路部品（フラッシュメモリ１９を含む）が封止されている場合でも、ケース２０を分解したり封止樹脂を除去する必要が無いから、防水性能が損なわれたり、復旧に手間がかかることがない。また入力端子Ｔａ，Ｔｂ間に、第１条件又は第２条件に合致した電圧を印加するだけで、フラッシュメモリ１９のデータを消去させることができるので、装置自体を破壊することなく、比較的簡単な方法でフラッシュメモリ１９のデータを消去することができる。
【００７８】
また本実施形態は光源として高圧放電灯を用いており、上述の特徴を有した高圧放電灯の点灯装置を実現できる。
【００７９】
（実施形態３）
本発明の実施形態３を図６及び図７に基づいて説明する。実施形態１では、光源として発光ダイオード（ＬＥＤ）を用いているが、本実施形態では光源として蛍光灯ＬＰ２を用いている。
【００８０】
図６は点灯装置１の回路図であり、実施形態２で説明した図５（ｂ）の回路と共通する構成要素には同一の符号を付して、その説明は省略する。
【００８１】
この点灯装置１は、整流回路２３、昇圧チョッパ回路２４、平滑コンデンサＣ２、インバータ回路２６、インダクタＬ１及び予熱用のコンデンサＣ３からなるＬＣ共振回路２７、入力電圧検出回路１２、出力電圧検出回路１４、及び制御回路１５を備えている。また、図６の回路図では図示を省略しているが、図１及び図５（ａ）の回路と同様、マイコン１７からの電力指令値をＰＷＭ信号に変換してインバータ回路２６のスイッチング素子に出力するＰＷＭ出力回路１８や制御電源回路１６を備えている。
【００８２】
入力電圧検出回路１２は、整流回路２３の出力電圧を抵抗Ｒ２，Ｒ３で分圧した電圧をマイコン１７に出力する。
【００８３】
出力電圧検出回路１４は、蛍光灯ＬＰ２の両端間に接続された抵抗Ｒ５及びコンデンサＣ４の直列回路を有し、コンデンサＣ４の両端電圧がダイオードＤ１を介してマイコン１７に入力される。
【００８４】
この点灯装置１では、整流回路２３が交流電源ＡＣの交流電圧を整流し、昇圧チョッパ回路２４により昇圧した後、インバータ回路２６により高周波の交流電圧に変換しており、インバータ回路２６とＬＣ共振回路２７とで出力電力制御を行っている。マイコン１７は、出力電圧検出回路１４の検出電圧をもとに、データテーブルを参照して、出力電力制御量を演算しており、この演算結果に応じてインバータ回路２６の動作を制御して、出力電力制御を行う。また本回路の電源は交流電源ＡＣであるので、入力電圧検出回路１２は、整流回路２３で整流された電圧を検出しており、この整流電圧を抵抗Ｒ２，Ｒ３で分圧した電圧をマイコン１７に出力する。マイコン１７では、入力電圧検出回路１２から入力された分圧電圧をもとに、入力電圧を演算により求めている。図７は整流回路２３による整流電圧ＶDBを示し、マイコン１７は、所定のサンプリング間隔Δｔで、入力電圧検出回路１２の出力を取り込む。マイコン１７では、サンプリング間隔Δｔを十分短い時間に設定することで、整流電圧ＶDBのピーク電圧に近い電圧を検出することができ、このピーク電圧をもとに入力電圧を演算により求めている。
【００８５】
この点灯装置１においても、実施形態１と同様、マイコン１７は、光源に印加される負荷電圧（出力電圧）の検出値を含む光源の状態値を記憶手段たるフラッシュメモリ１９に記憶させる。尚、光源が蛍光灯ＬＰ２の場合、片側フィラメントがエミッタレスとなる異常（異常０）、両側フィラメントがエミッタレスとなる異常（異常１）、ＯＰＥＮ状態（フィラメント切れ）となる異常（異常２）の３種類の異常を状態値として記憶させてもよい。
【００８６】
メモリの空き容量が少なくなると、ユーザは、実施形態１と同様に、入力端子Ｔａ，Ｔｂ間に第１基準電圧Vth1以上の電圧、又は第２基準電圧Vth2以下の電圧を所定時間以上継続して印加させることで、フラッシュメモリ１９に書き込まれたデータの消去を行う。
【００８７】
入力端子Ｔａ，Ｔｂにマイコン１７を動作可能な電圧が入力されると、制御電源回路１６から制御回路１５に動作電源が供給されて、マイコン１７が動作を開始する。マイコン１７は、制御電源回路１６から電源供給を受けて動作を開始すると、所定のサンプリング周期で入力電圧検出回路１２から検出結果を取り込み、入力電圧の電圧値を演算により求めている。そして、記憶消去手段たるマイコン１７は、入力電圧の検出結果をもとに、実施形態１で説明した第１条件及び第２条件のうち、少なくとも何れか一方の条件が成立したと判断すると、フラッシュメモリ１９に記憶されたデータを消去する。
【００８８】
これにより、第１条件又は第２条件を満たすように電源の定格電圧範囲とは異なる電圧を所定時間継続して印加すれば、記憶消去手段たるマイコン１７によって、フラッシュメモリ１９のデータが消去されることになる。したがって、フラッシュメモリ１９のデータを消去するために、フラッシュメモリ１９に直接アクセスするための外部接続端子やデータ消去のためのスイッチなど、専用の部品を別途付加する必要が無く、コストアップを招くことがない。また点灯装置１がケース２０内に収納されて防水構造をもたせている場合や回路部品（フラッシュメモリ１９を含む）が封止されている場合でも、ケース２０を分解したり封止樹脂を除去する必要が無いから、防水性能が損なわれたり、復旧に手間がかかることがない。また入力端子Ｔａ，Ｔｂ間に、第１条件又は第２条件に合致した電圧を印加するだけで、フラッシュメモリ１９のデータを消去させることができるので、装置自体を破壊することなく、比較的簡単な方法でフラッシュメモリ１９のデータを消去することができる。
【００８９】
また本実施形態は光源として蛍光灯を用いており、上述の特徴を有した蛍光灯の点灯装置を実現できる。
【００９０】
（実施形態４）
本発明の実施形態４を図８（ａ）（ｂ）に基づいて説明する。尚、点灯装置１の回路構成は実施形態１〜３の何れかと同様であるので、図示及び説明は省略する。
【００９１】
本実施形態１では、第１条件のしきい値である第１基準電圧、及び、第２条件のしきい値である第２基準電圧としてそれぞれ２段階の電圧値が設定されている。
【００９２】
図８（ａ）は、第１基準電圧として２通りの電圧値Ｖth11，Ｖth12（Ｖ１＜Ｖth11＜Ｖth12）が設定された場合を示している。この場合、入力電圧Ｖinが、定格電圧範囲よりも高い電圧Ｖth11以上且つ電圧Ｖth12未満となる状態が所定時間ｔ11以上継続する第１条件が成立した後、入力電圧Ｖinが電圧Ｖth12以上となる状態が所定時間ｔ12以上継続する第１条件が成立すると、マイコン１７はフラッシュメモリ１９のデータを消去する。この場合のマイコン１７の動作は、図３（ｂ）においてＳ１３の判定条件を「Ｖth12＞Ｖin≧Ｖth11」、Ｓ１５の判定条件を「ＣＴ≧ｔ11」、Ｓ１８の判定条件を「Ｖin≧Ｖth12」、Ｓ２０の判定条件を「ＣＴ≧ｔ12」と変更したフローチャートとなる。
【００９３】
また図８（ｂ）は、第２基準電圧として２通りの電圧値Ｖth21，Ｖth22（０＜Ｖth21＜Ｖth22＜Ｖ０）が設定された場合を示している。この場合、入力電圧Ｖinが、定格電圧範囲よりも低い電圧Ｖth21以上且つ電圧Ｖth22未満となる状態が所定時間ｔ21以上継続する第２条件が成立した後、入力電圧Ｖinが電圧Ｖth22以上且つ電圧Ｖ０未満となる状態が所定時間ｔ22以上継続する第２条件が成立すると、マイコン１７はフラッシュメモリ１９のデータを消去する。この場合のマイコン１７の動作は、図３（ｂ）においてＳ１３の判定条件を「Ｖth21≦Ｖin＜Ｖth22」、Ｓ１５の判定条件を「ＣＴ≧ｔ21」、Ｓ１８の判定条件を「Ｖth22≦Ｖin＜Ｖ０」、Ｓ２０の判定条件を「ＣＴ≧ｔ22」と変更したフローチャートとなる。
【００９４】
この点灯装置１では、第１基準電圧及び第２基準電圧として複数段階の電圧値が設定され、マイコン１７は、各段階の第１基準電圧に対応した第１条件、又は、各段階の第２基準電圧に対応した第２条件が所定の順番で成立すると、フラッシュメモリ１９に記憶されたデータを消去している。
【００９５】
これにより、各段階の第１基準電圧に対応した第１条件、又は、各段階の第２基準電圧に対応した第２条件が所定の順番で成立しなければ、データの消去が行われないので、外来ノイズや作業ミスによってデータが消去されにくくなる。
【００９６】
尚、本実施形態では第１基準電圧及び第２基準電圧として２段階の電圧値が設定されているが、複数段階の電圧値に設定されればよく、３段階以上の電圧値が設定されていてもよい。また実施形態２，３の点灯装置において、本実施形態と同様に、第１基準電圧及び第２基準電圧として複数段階の電圧値が設定されていてもよい。
【００９７】
（実施形態５）
本発明の実施形態５を図４及び図９に基づいて説明する。尚、点灯装置１の回路構成は実施形態１〜３の何れかと同様であるので、図示及び説明は省略する。
【００９８】
本実施形態では、フラッシュメモリ１９に記憶されたデータのうち、消去するデータの内容を、上記の第１条件又は第２条件が確定したときの入力電圧レベル或いは継続時間に応じて選択できるようにしてある。
【００９９】
例えば、１つの点灯装置１において、第１条件が成立したときの入力電圧Ｖinの電圧レベルに応じて、マイコン１７は消去するデータの領域を選択する（図４（ａ）（ｂ）参照）。ここで、定格電圧範囲よりも大きい第１基準電圧Ｖth1以上の状態が所定時間ｔ1以上継続する条件が成立した場合、マイコン１７は、フラッシュメモリ１９に記憶された全てのデータ（ブロックＡ，Ｂのデータ）を消去する。一方、定格電圧範囲よりも低い第２基準電圧Ｖth2以下の状態が所定時間ｔ2以上継続する条件が成立した場合、マイコン１７は、一部の記憶領域（ブロックＡ）に記憶されたデータを消去する。
【０１００】
このように、第１条件又は第２条件が成立したときの入力電圧Ｖinの電圧レベルに応じて、マイコン１７が消去するデータの領域を選択しているので、データを消去する際に所定の電圧値を入力することで、対応する領域のデータを消去することができる。
【０１０１】
また図９に示すように、第１条件が確定したときの入力電圧とその継続時間の組み合わせパターンに応じて、マイコン１７が、データの消去モードを選択するようにしてもよい。
【０１０２】
先ず、図９（ａ）〜（ｃ）を参照して、第１条件又は第２条件が確定したときの入力電圧と継続時間の組み合わせパターンに応じて、マイコン１７が、消去するデータの内容を選択する場合について説明する。
【０１０３】
電源投入後に、入力電圧が、定格電圧範囲Ａよりも高い第１基準電圧Ｖth11以上となる状態が所定時間ｔ11以上継続するという第１条件が成立すると、マイコン１７は、通常点灯ではなくデータ消去モードへと動作モードを切り換える。またマイコン１７は、第１条件が確定したときの入力電圧に基づいて消去モードを選択する。例えばマイコン１７は、入力電圧がＶth12以上且つＶth13未満であればデータ消去モードＡとし、入力電圧がＶth13以上且つＶth14未満であればデータ消去モードＢとし、電圧値がＶth11以上且つＶth12未満であればデータ消去モードＣとする。
【０１０４】
次に、各々のデータ消去モードＡ〜Ｃについてそれぞれ説明する。
【０１０５】
データ消去モードＡでは、第１条件確定後の入力電圧値とその継続時間ｔ12の組み合わせパターンによって、マイコン１７が、フラッシュメモリ１９の記憶領域のうち、データを消去する記憶領域を選択し、選択された記憶領域のデータを消去する。消去対象の記憶領域の選択は、任意のアドレス（１個のデータ単位）、或いは、ブロック単位の何れかで行うこととする。表１は、第１条件の確定後に印加される入力電圧及びその継続時間ｔ12の組み合わせパターンに対応したアドレスを示し、図示しないメモリに記憶されている。
【０１０６】
【表１】
2011249135.tif 000003
【０１０７】
図９（ａ）は、データ消去モードＡを選択する場合にユーザが入力端子Ｔａ，Ｔｂ間に印加する入力電圧の一例を示している。ユーザは、データ消去モードＡに切り替えるために、先ず第１基準電圧Ｖth11よりも高い電圧であって、Ｖth12以上且つＶth13未満の入力電圧を所定の継続時間ｔ11以上印加する。第１条件が確定してデータ消去モードＡに切り替えられた後、ユーザは、消去対象のアドレスに対応した電圧値及び継続時間で入力電圧を印加する。
【０１０８】
マイコン１７は、所定のサンプリング間隔で入力電圧を検出しており、第１条件確定後に入力電圧Vinの低下を検出するか、もしくは、所定時間が経過すると、消去対象のアドレスを設定するために、その後に印加される入力電圧及びその継続時間を検出する。そして、マイコン１７では、第１条件の確定後に入力された電圧値及び継続時間を検出すると、表１をもとに消去対象のアドレスを決定し、そのアドレスのデータを消去するのである。例えばＶth13以上且つＶth14未満の入力電圧が５００ms以上且つ６００ms未満の継続時間だけ入力されると、マイコン１７は消去対象のアドレスを１５番目に設定し、１５番目のアドレスのデータを消去する。また、Ｖth13以上且つＶth14未満の入力電圧が１ｓ以上入力されると、マイコン１７は消去対象のアドレスを１０〜１９番目に設定し、１０〜１９番目のアドレスのデータがブロック単位で消去される。
【０１０９】
このように、入力電圧及び継続時間の組み合わせによって所望のアドレスのデータが消去できるので、必要なデータは残して不要なデータのみを消去することができ、使い勝手が向上する。尚、表１は、入力電圧の電圧値及び継続時間の組み合わせとアドレスとの対応関係を設定した一つの例であって、使用条件などに応じて適宜変更が可能である。
【０１１０】
次に、データ消去モードＢについて説明する。データ消去モードＢでは、第１条件確定後に、所定の休止期間を挟んで、電圧値及び継続時間がそれぞれ個別に設定された２種類の入力電圧が印加される。表２は、第１条件の確定後に印加される入力電圧の電圧値及びその継続時間の組み合わせパターンに対応した設定値（開始アドレス又は消去するデータの個数）を示し、図示しないメモリに記憶されている。
【０１１１】
【表２】
2011249135.tif 000004
【０１１２】
マイコン１７は、最初に印加される入力電圧の電圧値及び継続時間の組み合わせパターンをもとに表２を参照して、データを消去する記憶領域の開始アドレスを決定する。またマイコン７は、次に印加される入力電圧の電圧値及び継続時間の組み合わせパターンをもとに表２を参照して、消去するデータの個数を決定する。而して、マイコン１７では、第１条件確定後に２回に分けて印加された入力電圧の電圧値及び継続時間の組み合わせに基づいて、消去対象の記憶領域の開始アドレス及び消去するデータの個数が決定され、決定された範囲のデータが消去される。
【０１１３】
図９（ｂ）は、データ消去モードＢを選択する場合にユーザが入力端子Ｔａ，Ｔｂ間に印加する入力電圧の一例を示している。ユーザは、データ消去モードＢに切り替えるために、先ず第１基準電圧Ｖth11よりも高い電圧であって、Ｖth13以上且つＶth14未満の入力電圧を所定の継続時間ｔ11以上印加する。第１条件が確定してデータ消去モードＢに切り替えられた後、ユーザは、消去領域の開始アドレスに対応した電圧値及び継続時間ｔ12で入力電圧を印加する。開始アドレスを設定するための入力電圧の印加が終了すると、ユーザは、消去するデータの個数に対応した電圧値及び継続時間ｔ13で入力電圧を印加する。
【０１１４】
マイコン１７は、所定のサンプリング間隔で入力電圧を検出しており、第１条件確定後に入力電圧Vinの低下を検出する、もしくは所定時間経過すると、消去範囲の開始アドレスを設定するために、その後に印加される入力電圧の電圧値及びその継続時間を検出する。そして、マイコン１７では、第１条件の確定後に印加された入力電圧の電圧値及び継続時間を検出すると、表２の設定に基づいて消去範囲の開始アドレスを決定する。またマイコン１７では、所定の休止時間をおいて印加された入力電圧の電圧値及び継続時間を検出すると、表２の設定に基づいて消去するデータの個数を決定する。このようにして開始アドレス及び消去するデータの個数が設定されると、マイコン１７は設定した記憶領域のデータを消去するのである。
【０１１５】
例えば１５番目のアドレスから３個のデータを消去したい場合、ユーザは、データ消去モードＢに切替後、Ｖth13以上且つＶth14未満の入力電圧を５００ms以上且つ６００ms未満印加した後、所定の休止期間を挟んで、Ｖth12以上且つＶth13未満の入力電圧を３００ms以上且つ４００ms未満印加する。このような電圧値及び継続時間の入力電圧が２回に分けて入力されると、マイコン１７は開始アドレスを１５番目、消去するデータの個数を３個に設定し、設定した消去領域のデータを消去する。
【０１１６】
このように、入力電圧の電圧値及び継続時間の組み合わせによって所望の記憶領域のデータが消去できるので、所望の範囲のデータを一括して消去することができ、使い勝手が向上する。尚、表２は、入力電圧の電圧値及び継続時間の組み合わせと、開始アドレス又は消去するデータ数との対応関係を設定した一つの例であって、使用条件などに応じて適宜変更が可能である。
【０１１７】
次にデータ消去モードＣについて説明する。データ消去モードＣは、フラッシュメモリ１９内のデータを全て消去するモードである。
【０１１８】
図９（ｃ）は、データ消去モードＣを選択する場合にユーザが入力端子Ｔａ，Ｔｂ間に印加する入力電圧を示している。ユーザは、データ消去モードＣに切り替えるために、Ｖth11以上且つＶth12未満の入力電圧を所定の継続時間ｔ11以上（例えば１００ｍｓ以上）印加する。マイコン１７は、電源投入後に、第１基準電圧Ｖth11よりも高い電圧であって、Ｖth11以上且つＶth12未満の入力電圧が所定の継続時間ｔ11以上入力されたことを検出すると、第１条件が成立したと判断するとともに、データ消去モードＣに切り替わり、フラッシュメモリ１９のデータを全消去する。
【０１１９】
このように、データ消去モードＣではフラッシュメモリ１９内のデータが全消去されるので、フラッシュメモリ１９内の全てのデータを一括して消去することができる。
【０１２０】
尚、本実施形態ではデータ消去モードとして３つのモードを用意しているが、データ消去モードの数や、各モードの切替条件や、各モードでの消去内容は上記の実施形態に限定されるものではなく、使用条件などにあわせて適宜変更が可能である。
【０１２１】
また、本実施形態では第１条件が成立した時の入力電圧に応じて、データ消去モードを設定しているが、第２条件が成立した時の入力電圧に応じてデータ消去モードを設定してもよい。この場合も、その後に入力される入力電圧の電圧値及び継続時間に基づいてデータの消去範囲を決定されるのである。
【０１２２】
（実施形態６）
本発明の実施形態６を図１０及び図１１に基づいて説明する。尚、点灯装置１の回路構成は実施形態１〜３の何れかと同様であるので、図示及び説明は省略する。
【０１２３】
実施形態５では、データ消去モードの確定後に入力された入力電圧の電圧値及び継続時間に基づいてデータの消去範囲を決定しているが、本実施形態では、データ消去モードの確定後に入力された入力電圧の電圧値に基づいて、データの消去範囲を設定している。
【０１２４】
マイコン１７は、電源投入後に、定格電圧範囲よりも高い第１基準電圧Ｖth11以上の入力電圧が所定の継続時間ｔ11以上入力されたことを検出すると、第１条件が成立した判断し、点灯モードではなくデータ消去モードへと移行する。またマイコン１７は、第１条件が確定したときの入力電圧の電圧値に基づいて消去モードを選択する。マイコン１７は、例えば第１条件確定時の電圧値がＶth13以上あればデータ消去モードＡとし、電圧値がＶth12以上且つＶth13未満であればデータ消去モードＢとし、電圧値がＶth11以上且つＶth12未満であればデータ消去モードＣとする。
【０１２５】
次に、各々のデータ消去モードＡ〜Ｃについてそれぞれ説明する。
【０１２６】
データ消去モードＡは指定したアドレスのデータを消去するモードである。図１０（ａ）は、データ消去モードＡを選択する場合にユーザが入力端子Ｔａ，Ｔｂ間に印加する入力電圧の一例を示している。ユーザは、データ消去モードＡに切り替えるために、先ずＶth13以上であって消去対象のアドレスに対応した電圧値の入力電圧を所定の継続時間ｔ11以上印加する。第１条件が確定してデータ消去モードＡに切り替えられた後、ユーザは、消去領域のアドレスに対応した電圧値の入力電圧を所定の継続時間ｔ12以上入力する。
【０１２７】
マイコン１７では、データ消去モードＡに切り替わると、時間ｔ11における入力電圧値と、時間ｔ12における入力電圧値をもとに、消去対象のアドレスを設定する。
【０１２８】
図１１（ａ）はフラッシュメモリ１９のアドレス構成の一例を示し、その記憶領域はブロック単位で０〜ｋ番まで割り当てられ、各ブロック内では０〜ｍ番まで割り当てられる。そこで、データ消去モードＡでは、第１条件が確定した時（期間ｔ11）の入力電圧値に応じてブロックが選択される。また、第１条件の確定後に所定の休止期間を挟んで入力される期間ｔ12の入力電圧値から、各ブロック内での番号が設定されるので、消去対象のアドレスが設定される。すなわち、ｋ番目のブロック内でｎ番目の領域に相当するアドレスは、（ｋ×ｍ＋ｎ）となる。
【０１２９】
例えば、アドレス（ｍ＋２）のデータを消去したい場合、ユーザは、電源投入時に先ずＶth14以上且つＶth15未満の入力電圧を所定時間ｔ11以上印加する。マイコン１７では、電源が投入されると、所定のサンプリング間隔で入力電圧を検出しており、Ｖth14以上且つＶth15未満の入力電圧が所定時間ｔ11以上入力されたことから、データ消去モードＡに移行するとともに、ブロック１を選択する。次にユーザは、Ｖth13以上且つＶth14未満の入力電圧を所定時間ｔ12以上印加する。マイコン１７では、データ消去モードＡに切替後も入力電圧の検出を継続しており、Ｖth13以上且つＶth14未満の入力電圧が所定時間ｔ12以上印加されたことから、ブロック１内で２番目のアドレスを選択し、消去対象のアドレスを「ｍ＋２」に決定する。このようにして消去対象のアドレスが設定されると、マイコン１７は決定したアドレスのデータを消去するので、所望のアドレスのデータを消去することができる。尚、アドレスを設定するために入力する電圧値及びその継続時間、並びにフラッシュメモリ１９のメモリ構成は上記の形態に限定されるものではなく、適宜変更が可能である。
【０１３０】
次に、データ消去モードＢについて説明する。データ消去モードＢは指定したブロックのデータを一括して消去するモードである。図１０（ｂ）は、データ消去モードＢを選択する場合にユーザが入力端子Ｔａ，Ｔｂ間に印加する入力電圧の一例を示している。ユーザは、データ消去モードＢに切り替えるために、先ずＶth12以上且つＶth13未満の電圧値の入力電圧を所定の継続時間ｔ11以上印加する。第１条件が確定してデータ消去モードＢに切り替えられた後、ユーザは、消去対象のブロックに対応した電圧値の入力電圧を印加する。
【０１３１】
マイコン１７では、データ消去モードＢに切り替わると、第１条件の確定後に所定の休止期間をあけて入力された入力電圧の電圧値をもとに、消去対象のブロックを設定する。
【０１３２】
図１１（ｂ）はフラッシュメモリ１９のアドレス構成の一例を示し、その記憶領域はブロック単位で０〜ｋ番まで割り当てられている。データ消去モードＢでは、第１条件の確定後に所定の休止期間を挟んで入力された入力電圧値をもとに、マイコン１７が消去対象のブロックを設定しており、設定したブロックのデータを一括して消去する。
【０１３３】
例えばブロック１のデータを消去したい場合、ユーザは、電源投入後にＶth12以上且つＶth13未満の入力電圧を所定時間ｔ11以上印加した後、所定の休止期間をあけて、Ｖth13以上且つＶth14未満の入力電圧を所定時間ｔ12以上印加すればよい。このとき、マイコン１７では、データ消去モードＢに切り替えた後に入力された入力電圧に基づいて、消去対象のブロックを２とし、ブロック２のデータを消去するので、ブロック単位でデータを消去することができる。尚、消去対象のブロックを設定するために入力する電圧値及びその継続時間、並びにフラッシュメモリ１９のメモリ構成は上記の形態に限定されるものではなく、適宜変更が可能である。
【０１３４】
次にデータ消去モードＣについて説明する。データ消去モードＣは、フラッシュメモリ１９内のデータを全て消去するモードである。
【０１３５】
図１０（ｃ）は、データ消去モードＣを選択する場合にユーザが入力端子Ｔａ，Ｔｂ間に印加する入力電圧を示している。ユーザは、データ消去モードＣに切り替えるために、Ｖth11以上且つＶth12未満の入力電圧を所定の継続時間ｔ11以上（例えば１００ｍｓ以上）印加する。マイコン１７は、電源投入後に、Ｖth11以上且つＶth12未満の入力電圧が所定の継続時間ｔ11以上入力されたことを検出すると、第１条件が成立したと判断するとともに、データ消去モードＣに切り替わり、フラッシュメモリ１９のデータを全消去する。
【０１３６】
このように、データ消去モードＣではフラッシュメモリ１９内のデータが全消去されるので、フラッシュメモリ１９内の全てのデータを一括して消去することができる。
【０１３７】
尚、本実施形態ではデータ消去モードとして３つのモードを用意しているが、データ消去モードの数や、各モードの切替条件や、各モードでの消去内容は上記の実施形態に限定されるものではなく、使用条件などにあわせて適宜変更が可能である。
【０１３８】
また、本実施形態では第１条件が成立した時の入力電圧に応じて、データ消去モードを設定しているが、第２条件が成立した時の入力電圧に応じてデータ消去モードを設定してもよい。この場合も、モード確定時の入力電圧値と、その後に入力される入力電圧の電圧値とに基づいてデータの消去範囲が決定される。
【０１３９】
（実施形態７）
本発明の実施形態７を図１２に基づいて説明する。尚、点灯装置１の回路構成は実施形態１〜３の何れかと同様であるので、図示及び説明は省略する。
【０１４０】
本実施形態では、第１基準電圧Ｖth11よりも高い入力電圧を所定時間ｔ11以上印加してデータ消去モードに切り替えた後、入力電圧を所定のしきい値電圧を基準に高低２段階に変化させることで、２値の情報（コマンド）をマイコン１７に入力し、このコマンドにより消去するデータを設定している。
【０１４１】
図１２は、データを消去するためにユーザが入力端子Ｔａ，Ｔｂ間に印加する入力電圧を示している。ユーザが、定格電圧範囲よりも高い第１基準電圧Ｖth11以上の入力電圧を所定の継続時間ｔ11以上入力すると、マイコン１７は、通常点灯ではなく、データ消去モードに移行する。ここで、入力電圧がＶth11以上且つＶth12未満の場合をデータの「０」、入力電圧がＶth12以上の場合をデータの「１」とする。マイコン１７では、所定の休止期間を挟んで入力された所定個数の入力電圧の電圧レベルから２値のデータ列を作成し、このデータ列の内容に応じてデータ消去モードを設定し、設定されたデータ消去モードの内容に応じて対象のデータを消去する。
【０１４２】
表３は、所定個数の入力電圧の電圧レベルから求めたデータ列と、データ消去モードとの対応関係を示しており、図示しないメモリに記憶されている。
【０１４３】
【表３】
2011249135.tif 000005
【０１４４】
マイコン１７は、入力電圧の電圧レベルから作成したデータ列のうち、先頭の２つのデータの組み合わせをもとに表３を参照し、データ消去モードを決定する。すなわち、先頭の２つのデータの組み合わせが「００」であればデータ消去モードＡに、「０１」であればデータ消去モードＢに、「１０」であればデータ消去モードＣに設定される。
【０１４５】
データ消去モードＡは、任意のアドレスのデータを消去するモードであり、マイコン１７は、３個目以降のデータ列の示すアドレスを消去対象のアドレスに設定し、設定したアドレスのデータを消去する。
【０１４６】
データ消去モードＢは、任意のブロックのデータを一括消去するモードであり、マイコン１７は、３個目以降のデータ列が示すブロックを、消去対象のブロックに設定し、設定したブロックのデータを一括して消去する。
【０１４７】
データ消去モードＣは、フラッシュメモリ１９の全てのデータを消去するモードであり、マイコン１７は、データ消去モードＣに切り替えられると、フラッシュメモリ１９のデータを全消去する。
【０１４８】
ところで、点灯装置１の回路構成が、図５（ａ）の回路のように、２系統の入力端子Ｔａ，Ｔｅから制御電源回路１６に電源を供給可能な回路構成であれば、一方の入力端子Ｔｅには制御回路１５を駆動可能な電源電圧を印加し、もう一方の入力端子Ｔａには、直流電源Ｅ１の定格電圧範囲よりも低い電圧範囲で高低２段階に変化する電圧を入力し、この電圧値からコマンドを検出するようにしてもよい。尚、電源電圧を入力する系統が１系統の回路であっても、定格電圧範囲よりも低い電圧範囲で、制御回路１５が駆動可能な電圧を供給できるのであれば、定格電圧範囲よりも低い電圧範囲で高低２段階に入力電圧を変化させることによって、２値のデータ列からなるコマンドをマイコン１７に入力させてもよい。
【０１４９】
尚、本実施形態ではデータ消去モードとして３つのモードを用意しているが、データ消去モードの数や、各モードの切替条件や、各モードでの消去内容は上記の実施形態に限定されるものではなく、使用条件などにあわせて適宜変更が可能である。
【０１５０】
ところで、上述した各実施形態の点灯装置１は、例えば車両の前照灯を点灯させるために用いられ、図１３にこの点灯装置１と光源ＬＰとからなる灯具９０を備えた車両１００を示す。
【０１５１】
この灯具９０は、各実施形態で説明した回路をケース２０内に収納した点灯装置１と光源ＬＰとで構成され、フラッシュメモリ１９のデータを消去するために専用の部品を付加する必要が無く、また装置自体を破壊することなく、簡単な方法でデータを消去できる。
【０１５２】
また車両１００は、各実施形態で説明した回路をケース２０内に収納した点灯装置１と光源ＬＰとで構成される灯具９０を車体１０１に備えたものであり、フラッシュメモリ１９のデータを消去するために専用の部品を付加する必要が無く、また装置自体を破壊することなく、簡単な方法でデータを消去できる。
【符号の説明】
【０１５３】
１  点灯装置
１１  ＤＣ−ＤＣコンバータ（電力供給手段）
１２  入力電圧検出回路（入力電圧検出手段）
１３  出力電流検出回路（光源状態検出手段）
１４  出力電圧検出回路（光源状態検出手段）
１５  制御回路
１７  マイコン（記憶消去手段）
１９  フラッシュメモリ（記憶手段）
２０  ケース
９０  灯具
１００  車両
１０１  車体
ＬＥＤ１，ＬＥＤ２  発光ダイオード
ＬＰ１  高圧放電灯
ＬＰ２  蛍光灯
Ｔａ，Ｔｂ  入力端子
Ｅ１  直流電源
【図１】
2011249135.tif 000006
【図２】
2011249135.tif 000007
【図３】
2011249135.tif 000008
【図４】
2011249135.tif 000009
【図５】
2011249135.tif 000010
【図６】
2011249135.tif 000011
【図７】
2011249135.tif 000012
【図８】
2011249135.tif 000013
【図９】
2011249135.tif 000014
【図１０】
2011249135.tif 000015
【図１１】
2011249135.tif 000016
【図１２】
2011249135.tif 000017
【図１３】
2011249135.tif 000018